(57)【要約】【課題】利用者毎に製作される人工骨の設計のために必要となる情報の搬送にかかる時間、手間、コストを低減すると共に、設計された人工骨に関する人工骨情報の提供を効率的になし得る人工骨情報管理システムを提供する。【解決手段】人工骨情報管理システム1は、利用者毎に製作される人工骨の発注情報を医療機関側端末装置200から受信し、発注情報データベース125に格納する発注情報取得部110と、発注情報データベース125から該当する発注情報を抽出し、設計・製作機関側端末装置400へ送信する発注情報出力部111と、設計された人工骨に関する人工骨情報を設計・製作機関側端末装置400から受信し、人工骨情報データベース126に格納する人工骨情報取得部112と、人工骨情報データベース126から該当する人工骨情報を抽出し、医療機関側端末装置200または利用者側端末装置300へ送信する出力処理部とを備え、各情報は、ネットワーク60を通じて送受信される。【選択図】図１
2008140071.tif 000002
【特許請求の範囲】
【請求項１】
医療機関から設計・製作機関に発注され、該設計・製作機関において利用者毎に設計または該設計に基づいて製作される人工骨の情報管理を行う人工骨情報管理システムであって、
前記人工骨の設計のために必要となる利用者の診断画像データを含む発注情報をネットワークを通じて前記医療機関側の端末装置から受信し、前記発注情報を発注情報データベースに格納する、発注情報取得手段と、
前記発注情報の取出要求をネットワークを通じて受け付け、前記取出要求に応じて、前記発注情報データベースから該当する発注情報を抽出し、その発注情報をネットワークを通じて前記設計・製作機関側の端末装置へ送信する、発注情報出力手段と、
前記設計・製作機関で前記発注情報に基づいて設計された人工骨に関する人工骨情報をネットワークを通じて前記設計・製作機関側の端末装置から受信し、前記人工骨情報を人工骨情報データベースに格納する、人工骨情報取得手段と、
前記人工骨情報の取出要求をネットワークを通じて受け付け、前記取出要求に応じて、前記人工骨情報データベースから該当する人工骨情報を抽出し、その人工骨情報をネットワークを通じて前記医療機関側の端末装置または前記利用者側の端末装置へ送信する、出力処理手段と、
を備えることを特徴とする人工骨情報管理システム。
【請求項２】
前記発注情報出力手段により前記発注情報が前記設計・製作機関側の端末装置へ送信された後、該発注情報が前記発注情報データベースから削除されるよう構成されている請求項１に記載の人工骨情報管理システム。
【請求項３】
前記発注情報出力手段が前記設計・製作機関側の端末装置からの前記発注情報の取出要求を受け付けるのに先立って、前記発注情報データベースにおける前記発注情報の格納先アドレスと、前記設計・製作機関の認証を行なうための該設計・製作機関に固有の認証用情報とを前記設計・製作機関側の端末装置に送信し、前記認証用情報の照合を行って前記設計・製作機関の認証を行なう認証処理手段を有する請求項１または２に記載の人工骨情報管理システム。
【請求項４】
前記設計・製作機関側の端末装置に送信する前記発注情報の格納先アドレスおよび前記認証用情報のうちの少なくとも一方は、毎回変更される請求項３に記載の人工骨情報管理システム。
【請求項５】
前記発注情報データベースと前記人工骨情報データベースとが共通であり、前記発注情報の格納先アドレスは、前記人工骨情報の格納先アドレスと同一である請求項３または４に記載の人工骨情報管理システム。
【請求項６】
医療機関から設計・製作機関に発注され、該設計・製作機関において利用者毎に設計または該設計に基づいて製作される人工骨の情報管理を行う人工骨情報管理システムであって、
前記設計・製作機関側に設けられ、
前記人工骨の設計のために必要となる利用者の診断画像データを含む発注情報をネットワークを通じて前記医療機関側の端末装置から受信し、前記発注情報を発注情報データベースに格納する、発注情報取得手段と、
前記発注情報の取出要求を受け付け、前記取出要求に応じて、前記発注情報データベースから該当する発注情報を抽出し、その発注情報を出力する、発注情報出力手段と、
前記設計・製作機関で前記発注情報に基づいて設計された人工骨に関する人工骨情報を人工骨情報データベースに格納する、人工骨情報取得手段と、
前記人工骨情報の取出要求をネットワークを通じて受け付け、前記取出要求に応じて、前記人工骨情報データベースから該当する人工骨情報を抽出し、その人工骨情報をネットワークを通じて前記医療機関側の端末装置または前記利用者側の端末装置へ送信する、出力処理手段と、
を備えることを特徴とする人工骨情報管理システム。
【請求項７】
前記発注情報出力手段により前記発注情報が出力された後、該発注情報が前記発注情報データベースから削除されるよう構成されている請求項６に記載の人工骨情報管理システム。
【請求項８】
前記出力処理手段は、前記人工骨情報の取出要求を前記医療機関側の端末装置からネットワークを通じて受け付けた場合は、前記取出要求に応じて、前記人工骨情報データベースから該当する人工骨情報を抽出し、その人工骨情報をネットワークを通じて前記医療機関側の端末装置へ送信し、前記人工骨情報の取出要求を前記利用者側の端末装置からネットワークを通じて受け付けた場合は、前記取出要求に応じて、前記人工骨情報データベースから該当する人工骨情報を抽出し、その人工骨情報をネットワークを通じて前記利用者側の端末装置へ送信するよう構成されている請求項１ないし７のいずれかに記載の人工骨情報管理システム。
【請求項９】
前記発注情報取得手段が前記発注情報を前記医療機関側の端末装置から受信するのに先立って、前記発注情報データベースにおける前記発注情報の格納先アドレスと、前記医療機関の認証を行なうための該医療機関に固有の認証用情報とを前記医療機関側の端末装置に送信し、前記認証用情報の照合を行って前記医療機関の認証を行なう認証処理手段を有する請求項１ないし８のいずれかに記載の人工骨情報管理システム。
【請求項１０】
前記医療機関側の端末装置に送信する前記発注情報の格納先アドレスおよび前記認証用情報のうちの少なくとも一方は、毎回変更される請求項９に記載の人工骨情報管理システム。
【請求項１１】
前記発注情報データベースと前記人工骨情報データベースとが共通であり、前記発注情報の格納先アドレスは、前記人工骨情報の格納先アドレスと同一である請求項９または１０に記載の人工骨情報管理システム。
【請求項１２】
医療機関から設計・製作機関に発注され、該設計・製作機関において利用者毎に設計または該設計に基づいて製作される人工骨の情報管理を行う人工骨情報管理システムであって、
前記医療機関側に設けられ、
前記人工骨の設計のために必要となる利用者の診断画像データを含む発注情報を発注情報データベースに格納する、発注情報取得手段と、
前記発注情報の取出要求をネットワークを通じて受け付け、前記取出要求に応じて、前記発注情報データベースから該当する発注情報を抽出し、その発注情報をネットワークを通じて前記設計・製作機関側の端末装置へ送信する、発注情報出力手段と、
前記設計・製作機関で前記発注情報に基づいて設計された人工骨に関する人工骨情報をネットワークを通じて前記設計・製作機関側の端末装置から受信し、前記人工骨情報を人工骨情報データベースに格納する、人工骨情報取得手段と、
前記人工骨情報の取出要求を受け付け、前記取出要求に応じて、前記人工骨情報データベースから該当する人工骨情報を抽出し、その人工骨情報を出力またはネットワークを通じて前記利用者側の端末装置へ送信する、出力処理手段と、
を備えることを特徴とする人工骨情報管理システム。
【請求項１３】
前記発注情報出力手段により前記発注情報が前記設計・製作機関側の端末装置へ送信された後、該発注情報が前記発注情報データベースから削除されるよう構成されている請求項１２に記載の人工骨情報管理システム。
【請求項１４】
出力処理手段は、前記人工骨情報の取出要求を前記利用者側の端末装置からネットワークを通じて受け付けた場合は、前記取出要求に応じて、前記人工骨情報データベースから該当する人工骨情報を抽出し、その人工骨情報をネットワークを通じて前記利用者側の端末装置へ送信するよう構成されている請求項１２または１３に記載の人工骨情報管理システム。
【請求項１５】
前記発注情報出力手段が前記設計・製作機関側の端末装置からの前記発注情報の取出要求を受け付けるのに先立って、前記発注情報データベースにおける前記発注情報の格納先アドレスと、前記設計・製作機関の認証を行なうための該設計・製作機関に固有の認証用情報とを前記設計・製作機関側の端末装置に送信し、前記認証用情報の照合を行って前記設計・製作機関の認証を行なう認証処理手段を有する請求項１２ないし１４のいずれかに記載の人工骨情報管理システム。
【請求項１６】
前記設計・製作機関側の端末装置に送信する前記発注情報の格納先アドレスおよび前記認証用情報のうちの少なくとも一方は、毎回変更される請求項１５に記載の人工骨情報管理システム。
【請求項１７】
前記発注情報データベースと前記人工骨情報データベースとが共通であり、前記発注情報の格納先アドレスは、前記人工骨情報の格納先アドレスと同一である請求項１５または１６に記載の人工骨情報管理システム。
【請求項１８】
前記診断画像データは、前記利用者の前記人工骨を設置する部位を含む複数の断層画像データである請求項１ないし１７のいずれかに記載の人工骨情報管理システム。
【請求項１９】
前記発注情報には、さらに、前記利用者の電子カルテの情報および前記人工骨の材質のうちの少なくとも一方が含まれる請求項１ないし１８のいずれかに記載の人工骨情報管理システム。
【請求項２０】
前記人工骨情報には、前記設計された人工骨の２次元の画像データおよび３次元の画像データのうちの少なくとも一方が含まれる請求項１ないし１９のいずれかに記載の人工骨情報管理システム。
【請求項２１】
前記人工骨情報には、さらに、前記設計された人工骨の寸法、材質、色、機能および過去の使用実績のうちの少なくとも１つが含まれる請求項２０に記載の人工骨情報管理システム。
【発明の詳細な説明】
【技術分野】
【０００１】
本発明は、人工骨情報管理システムに関するものである。
【背景技術】
【０００２】
利用者たる患者個々の事情等に合わせて、その利用者毎に製作されるカスタムメイドの人工骨（カスタムメイド人工骨）の存在がある。このカスタムメイドの人工骨の製作に当たっては、利用者（患者）のＣＴデータ等の各種診断画像データや、ＣＴフィルム等を利用する。こうした人工骨の製作手法について、例えば、骨欠損部を有する骨体に適用するインプラントの設計方法であって、前記骨体の複数の断層画像データを基に、前記骨体の３次元データを作製する工程と、前記３次元データの実質的な対称面について前記３次元データの骨欠損部と対称な部位の形状データを利用して、前記骨欠損部にあるべき骨体の形状を予測する工程とを有するインプラントの設計方法（特許文献１）等が提案されている。
【０００３】
【特許文献１】特開２００３−７０８１６号公報
【発明の開示】
【発明が解決しようとする課題】
【０００４】
ところで、上記人工骨の製作に利用する診断画像データ等は、当該人工骨の利用者たる患者を抱える医療機関から、人工骨の製作会社（設計・製作機関）へと人手（例えば、人工骨の製作会社等の営業担当等）を介して搬送されている。そのため、診断画像データ等の搬送に、時間、手間、コストがかかると共に、医療機関が管理する利用者の診断画像データ等を第三者が持ち運ぶことになり、個人情報管理の観点から好ましいとは言えない状況であった。また、前記人工骨を施術される利用者やその家族らは、利用者に施術される人工骨の事前情報を明確に知りうる機会と手段が提供されることがほとんどなかった。
【０００５】
本発明の目的は、利用者毎に製作される人工骨の設計のために必要となる情報の搬送にかかる時間、手間、コストを低減すると共に、設計された人工骨に関する人工骨情報の提供を効率的に行うことができる人工骨情報管理システムを提供することにある。
【課題を解決するための手段】
【０００６】
このような目的は、下記（１）〜（２１）の本発明により達成される。
（１）  医療機関から設計・製作機関に発注され、該設計・製作機関において利用者毎に設計または該設計に基づいて製作される人工骨の情報管理を行う人工骨情報管理システムであって、
前記人工骨の設計のために必要となる利用者の診断画像データを含む発注情報をネットワークを通じて前記医療機関側の端末装置から受信し、前記発注情報を発注情報データベースに格納する、発注情報取得手段と、
前記発注情報の取出要求をネットワークを通じて受け付け、前記取出要求に応じて、前記発注情報データベースから該当する発注情報を抽出し、その発注情報をネットワークを通じて前記設計・製作機関側の端末装置へ送信する、発注情報出力手段と、
前記設計・製作機関で前記発注情報に基づいて設計された人工骨に関する人工骨情報をネットワークを通じて前記設計・製作機関側の端末装置から受信し、前記人工骨情報を人工骨情報データベースに格納する、人工骨情報取得手段と、
前記人工骨情報の取出要求をネットワークを通じて受け付け、前記取出要求に応じて、前記人工骨情報データベースから該当する人工骨情報を抽出し、その人工骨情報をネットワークを通じて前記医療機関側の端末装置または前記利用者側の端末装置へ送信する、出力処理手段と、
を備えることを特徴とする人工骨情報管理システム。
【０００７】
これにより、診断画像データ等の発注情報の搬送に時間、手間、コストがかからなくなる上、医療機関が管理する利用者（患者）個人の診断画像データ等を第三者が持ち運ぶことによる個人情報漏洩の懸念等も解消される。
【０００８】
また、医療機関の医師、人工骨を施術される利用者やその家族らに、利用者に施術される人工骨の事前情報を詳細かつ明確に知りうる機会と手段を提供することができる。したがって、人工骨の情報提供を効率的に行うことができる。
【０００９】
（２）  前記発注情報出力手段により前記発注情報が前記設計・製作機関側の端末装置へ送信された後、該発注情報が前記発注情報データベースから削除されるよう構成されている上記（１）に記載の人工骨情報管理システム。
【００１０】
これにより、不当な第３者によって、発注情報が発注情報データベースから盗取されるリスクを低減することができる。
【００１１】
（３）  前記発注情報出力手段が前記設計・製作機関側の端末装置からの前記発注情報の取出要求を受け付けるのに先立って、前記発注情報データベースにおける前記発注情報の格納先アドレスと、前記設計・製作機関の認証を行なうための該設計・製作機関に固有の認証用情報とを前記設計・製作機関側の端末装置に送信し、前記認証用情報の照合を行って前記設計・製作機関の認証を行なう認証処理手段を有する上記（１）または（２）に記載の人工骨情報管理システム。
これにより、安全な情報管理を行うことができる。
【００１２】
（４）  前記設計・製作機関側の端末装置に送信する前記発注情報の格納先アドレスおよび前記認証用情報のうちの少なくとも一方は、毎回変更される上記（３）に記載の人工骨情報管理システム。
これにより、さらに安全な情報管理を行うことができる。
【００１３】
（５）  前記発注情報データベースと前記人工骨情報データベースとが共通であり、前記発注情報の格納先アドレスは、前記人工骨情報の格納先アドレスと同一である上記（３）または（４）に記載の人工骨情報管理システム。
これにより、情報管理を簡易に行うことができる。
【００１４】
（６）  医療機関から設計・製作機関に発注され、該設計・製作機関において利用者毎に設計または該設計に基づいて製作される人工骨の情報管理を行う人工骨情報管理システムであって、
前記設計・製作機関側に設けられ、
前記人工骨の設計のために必要となる利用者の診断画像データを含む発注情報をネットワークを通じて前記医療機関側の端末装置から受信し、前記発注情報を発注情報データベースに格納する、発注情報取得手段と、
前記発注情報の取出要求を受け付け、前記取出要求に応じて、前記発注情報データベースから該当する発注情報を抽出し、その発注情報を出力する、発注情報出力手段と、
前記設計・製作機関で前記発注情報に基づいて設計された人工骨に関する人工骨情報を人工骨情報データベースに格納する、人工骨情報取得手段と、
前記人工骨情報の取出要求をネットワークを通じて受け付け、前記取出要求に応じて、前記人工骨情報データベースから該当する人工骨情報を抽出し、その人工骨情報をネットワークを通じて前記医療機関側の端末装置または前記利用者側の端末装置へ送信する、出力処理手段と、
を備えることを特徴とする人工骨情報管理システム。
【００１５】
これにより、診断画像データ等の発注情報の搬送に時間、手間、コストがかからなくなる上、医療機関が管理する利用者（患者）個人の診断画像データ等を第三者が持ち運ぶことによる個人情報漏洩の懸念等も解消される。
【００１６】
また、医療機関の医師、人工骨を施術される利用者やその家族らに、利用者に施術される人工骨の事前情報を詳細かつ明確に知りうる機会と手段を提供することができる。したがって、人工骨の情報提供を効率的に行うことができる。
また、人工骨情報管理システムが設計・製作機関側の端末装置を兼ねることができる。
【００１７】
（７）  前記発注情報出力手段により前記発注情報が出力された後、該発注情報が前記発注情報データベースから削除されるよう構成されている上記（６）に記載の人工骨情報管理システム。
【００１８】
これにより、不当な第３者によって、発注情報が発注情報データベースから盗取されるリスクを低減することができる。
【００１９】
（８）  前記出力処理手段は、前記人工骨情報の取出要求を前記医療機関側の端末装置からネットワークを通じて受け付けた場合は、前記取出要求に応じて、前記人工骨情報データベースから該当する人工骨情報を抽出し、その人工骨情報をネットワークを通じて前記医療機関側の端末装置へ送信し、前記人工骨情報の取出要求を前記利用者側の端末装置からネットワークを通じて受け付けた場合は、前記取出要求に応じて、前記人工骨情報データベースから該当する人工骨情報を抽出し、その人工骨情報をネットワークを通じて前記利用者側の端末装置へ送信するよう構成されている上記（１）ないし（７）のいずれかに記載の人工骨情報管理システム。
これにより、人工骨の情報提供をより効率的に行うことができる。
【００２０】
（９）  前記発注情報取得手段が前記発注情報を前記医療機関側の端末装置から受信するのに先立って、前記発注情報データベースにおける前記発注情報の格納先アドレスと、前記医療機関の認証を行なうための該医療機関に固有の認証用情報とを前記医療機関側の端末装置に送信し、前記認証用情報の照合を行って前記医療機関の認証を行なう認証処理手段を有する上記（１）ないし（８）のいずれかに記載の人工骨情報管理システム。
これにより、安全な情報管理を行うことができる。
【００２１】
（１０）  前記医療機関側の端末装置に送信する前記発注情報の格納先アドレスおよび前記認証用情報のうちの少なくとも一方は、毎回変更される上記（９）に記載の人工骨情報管理システム。
これにより、さらに安全な情報管理を行うことができる。
【００２２】
（１１）  前記発注情報データベースと前記人工骨情報データベースとが共通であり、前記発注情報の格納先アドレスは、前記人工骨情報の格納先アドレスと同一である上記（９）または（１０）に記載の人工骨情報管理システム。
これにより、情報管理を簡易に行うことができる。
【００２３】
（１２）  医療機関から設計・製作機関に発注され、該設計・製作機関において利用者毎に設計または該設計に基づいて製作される人工骨の情報管理を行う人工骨情報管理システムであって、
前記医療機関側に設けられ、
前記人工骨の設計のために必要となる利用者の診断画像データを含む発注情報を発注情報データベースに格納する、発注情報取得手段と、
前記発注情報の取出要求をネットワークを通じて受け付け、前記取出要求に応じて、前記発注情報データベースから該当する発注情報を抽出し、その発注情報をネットワークを通じて前記設計・製作機関側の端末装置へ送信する、発注情報出力手段と、
前記設計・製作機関で前記発注情報に基づいて設計された人工骨に関する人工骨情報をネットワークを通じて前記設計・製作機関側の端末装置から受信し、前記人工骨情報を人工骨情報データベースに格納する、人工骨情報取得手段と、
前記人工骨情報の取出要求を受け付け、前記取出要求に応じて、前記人工骨情報データベースから該当する人工骨情報を抽出し、その人工骨情報を出力またはネットワークを通じて前記利用者側の端末装置へ送信する、出力処理手段と、
を備えることを特徴とする人工骨情報管理システム。
【００２４】
これにより、診断画像データ等の発注情報の搬送に時間、手間、コストがかからなくなる上、医療機関が管理する利用者（患者）個人の診断画像データ等を第三者が持ち運ぶことによる個人情報漏洩の懸念等も解消される。
【００２５】
また、医療機関の医師、人工骨を施術される利用者やその家族らに、利用者に施術される人工骨の事前情報を詳細かつ明確に知りうる機会と手段を提供することができる。したがって、人工骨の情報提供を効率的に行うことができる。
【００２６】
また、人工骨情報管理システムが医療機関側の端末装置を兼ねることができる。これにより、医療機関から、人工骨を施術される利用者やその家族らに対して、容易に、人工骨の事前情報を提供することができ、その利用者や家族らは、容易に、人工骨の事前情報を知ることができる。
【００２７】
（１３）  前記発注情報出力手段により前記発注情報が前記設計・製作機関側の端末装置へ送信された後、該発注情報が前記発注情報データベースから削除されるよう構成されている上記（１２）に記載の人工骨情報管理システム。
【００２８】
これにより、不当な第３者によって、発注情報が発注情報データベースから盗取されるリスクを低減することができる。
【００２９】
（１４）  出力処理手段は、前記人工骨情報の取出要求を前記利用者側の端末装置からネットワークを通じて受け付けた場合は、前記取出要求に応じて、前記人工骨情報データベースから該当する人工骨情報を抽出し、その人工骨情報をネットワークを通じて前記利用者側の端末装置へ送信するよう構成されている上記（１２）または（１３）に記載の人工骨情報管理システム。
これにより、人工骨の情報提供をより効率的に行うことができる。
【００３０】
（１５）  前記発注情報出力手段が前記設計・製作機関側の端末装置からの前記発注情報の取出要求を受け付けるのに先立って、前記発注情報データベースにおける前記発注情報の格納先アドレスと、前記設計・製作機関の認証を行なうための該設計・製作機関に固有の認証用情報とを前記設計・製作機関側の端末装置に送信し、前記認証用情報の照合を行って前記設計・製作機関の認証を行なう認証処理手段を有する上記（１２）ないし（１４）のいずれかに記載の人工骨情報管理システム。
これにより、安全な情報管理を行うことができる。
【００３１】
（１６）  前記設計・製作機関側の端末装置に送信する前記発注情報の格納先アドレスおよび前記認証用情報のうちの少なくとも一方は、毎回変更される上記（１５）に記載の人工骨情報管理システム。
これにより、さらに安全な情報管理を行うことができる。
【００３２】
（１７）  前記発注情報データベースと前記人工骨情報データベースとが共通であり、前記発注情報の格納先アドレスは、前記人工骨情報の格納先アドレスと同一である上記（１５）または（１６）に記載の人工骨情報管理システム。
これにより、情報管理を簡易に行うことができる。
【００３３】
（１８）  前記診断画像データは、前記利用者の前記人工骨を設置する部位を含む複数の断層画像データである上記（１）ないし（１７）のいずれかに記載の人工骨情報管理システム。
これにより、人工骨の設計における精度向上と効率化を図ることができる。
【００３４】
（１９）  前記発注情報には、さらに、前記利用者の電子カルテの情報および前記人工骨の材質のうちの少なくとも一方が含まれる上記（１）ないし（１８）のいずれかに記載の人工骨情報管理システム。
【００３５】
これにより、人工骨の設計に際して必要となるデータを漏れなく得ることができ、人工骨の設計における確実化と効率化を図ることができる。
【００３６】
（２０）  前記人工骨情報には、前記設計された人工骨の２次元の画像データおよび３次元の画像データのうちの少なくとも一方が含まれる上記（１）ないし（１９）のいずれかに記載の人工骨情報管理システム。
【００３７】
これにより、人工骨情報を利用する医療機関の医師や利用者が、人工骨について、具体的かつ明確なイメージを持って、容易かつ確実に認識することができる。
【００３８】
（２１）  前記人工骨情報には、さらに、前記設計された人工骨の寸法、材質、色、機能および過去の使用実績のうちの少なくとも１つが含まれる上記（２０）に記載の人工骨情報管理システム。
【００３９】
これにより、人工骨情報を利用する医療機関や利用者が、人工骨について、さらに容易かつ確実に認識することができる。
【発明の効果】
【００４０】
本発明によれば、人工骨の設計（製作）に利用する診断画像データ等を、当該人工骨の利用者たる患者を抱える医療機関から、人工骨の設計・製作機関等へと人手（設計・製作機関等の営業担当等）を介して搬送する必要がなくなる。そのため、診断データ等の搬送に時間、手間、コストがかからない上、医療機関が管理する利用者個人の診断画像データ等を第三者が持ち運ぶことによる個人情報漏洩の懸念等も解消される。
【００４１】
また、医療機関の医師、人工骨を施術される利用者やその家族らに対し、利用者に施術される人工骨の事前情報を詳細かつ明確に知りうる機会と手段を提供することができる。したがって、人工骨の情報提供を効率的に行うことができる。
【発明を実施するための最良の形態】
【００４２】
以下、本発明の人工骨情報管理システムを添付図面に示す好適実施形態に基づいて詳細に説明する。
【００４３】
図１は、本発明の人工骨情報管理システムの第１実施形態を示すネットワーク構成図（ブロック図）である。
【００４４】
図１に示す人工骨情報管理システム１は、医療機関から設計・製作機関に発注され、この設計・製作機関において利用者（患者）毎に設計または該設計に基づいて製作されるカスタムメイドの人工骨（カスタムメイド人工骨）の情報管理を行う人工骨情報管理システムである。
【００４５】
本実施形態では、人工骨情報管理システム１が、医療機関側の端末装置（医療機関側端末装置）（コンピュータ）２００と設計・製作機関側の端末装置（設計・製作機関側端末装置）（コンピュータ）４００との間で、かつ、その医療機関に抱えられている患者である利用者側の端末装置（利用者側端末装置）（コンピュータ）３００と設計・製作機関側端末装置４００との間にあり、それぞれについて両者を仲介し、発注情報や人工骨情報等の各情報を管理する場合を想定する。なお、医療機関、その医療機関が抱える患者である利用者および設計・製作機関の数は、それぞれ、単数でもよく、また、複数でもよいが、図示例では、説明の簡素化のため、医療機関、その医療機関が抱える患者である利用者および設計・製作機関を、それぞれ、１つ示す。
【００４６】
また、設計・製作機関は、人工骨（インプラント）の設計を行い、その設計（設計情報）に基づいて、人工骨の製作を行う場合と、人工骨の設計までを行う場合のいずれであってもよい。後者の場合は、人工骨の製作は、設計・製作機関の人工骨の設計に基づいて、他の機関が行う。該他の機関は、例えば、人工骨を発注した医療機関であってもよく、この場合は、設計・製作機関から医療機関に、人工骨の設計情報（設計データ）を送信し、医療機関において、その設計情報に基づいて人工骨を製作する。
【００４７】
図１に示すように、人工骨情報管理システム１は、サーバ（コンピュータ）１００を有し、サーバ１００は、記憶装置（記憶手段）１０１、メモリ（記憶部）１０３およびＣＰＵ（制御手段）１０４を有している。そして、サーバ１００は、人工骨情報管理システム１における各種情報の管理を行うべく、記憶装置（記憶手段）１０１に、所定のプログラム１０２を備えている。このプログラム１０２は、ＣＰＵ（制御手段）１０４がメモリ（記憶部）１０３に読み出して実行する。
【００４８】
また、人工骨情報管理システム１のサーバ１００は、入力インターフェイス１０５と、出力インターフェイス１０６と、医療機関側端末装置２００、利用者側端末装置３００および設計・製作機関側端末装置４００等の外部装置との間の通信（データ授受）を担う通信装置１０７と、Ｉ／Ｏ部１０８とを有しており、通信装置１０７により、医療機関側端末装置２００、利用者側端末装置３００および設計・製作機関側端末装置４００等の外部装置とネットワーク６０に接続し、データ授受を実行する。人工骨情報管理システム１の各機能部と通信装置１０７との間では、Ｉ／Ｏ部１０８がデータのバッファリングや各種仲介処理を実行する。
【００４９】
ネットワーク６０としては、オープンネットワーク、クローズドネットワークのいずれでもよく、例えば、インターネット、ＬＡＮ等が挙げられる。これらのうちでは、インターネットが好ましい。なお、ネットワーク６０として、複数種を併用することもできる。
【００５０】
また、人工骨情報管理システム１は、人工骨の設計のために必要となる利用者の診断画像データ等を含む発注情報（発注データ）が格納（記憶）される発注情報データベース１２５と、設計・製作機関で前記発注情報に基づいて設計された人工骨に関する人工骨情報（人工骨データ）が格納（記憶）される人工骨情報データベース１２６と、認証処理に用いられる認証情報（認証データ）が格納（記憶）される認証データベース１２７とを有している。
【００５１】
続いて、人工骨情報管理システム１がプログラム１０２に基づき構成・保持する各機能部について、説明を行う。
【００５２】
人工骨情報管理システム１は、人工骨の設計のために必要となる利用者の診断画像データ等を含む発注情報をネットワーク６０を通じて（介して）医療機関側端末装置２００から受信し、その発注情報を発注情報データベース１２５に格納する発注情報取得部（発注情報取得手段）１１０を有している。
【００５３】
診断画像データとしては、人工骨の設計に利用し得るものであれば特に限定されないが、例えば、ＣＴデータ（ＣＴ装置から出力されたデータ）等の利用者の人工骨を設置する部位を含む複数の断層画像データや、ＭＲＩ（磁気共鳴画像：magnetic resonance imaging）の測定データ等が挙げられ、これらのうちでは、利用者の人工骨を設置する部位を含む複数の断層画像データが好ましい。これにより、人工骨の設計における精度向上と効率化を図ることができる。
【００５４】
また、発注情報には、さらに、利用者の電子カルテの情報および人工骨の材質のうちのいずれか一方が含まれるのが好ましく、両方が含まれるのがより好ましい。これにより、人工骨の設計に際して必要となるデータを漏れなく得ることができ、人工骨の設計における確実化と効率化を図ることができる。
【００５５】
また、人工骨情報管理システム１は、発注情報の取出要求をネットワーク６０を通じて受け付け、その取出要求に応じて、発注情報データベース１２５から該当する発注情報を抽出し、その発注情報をネットワーク６０を通じて設計・製作機関側端末装置４００へ送信する発注情報出力部（発注情報出力手段）１１１を有している。そして、発注情報出力部１１１により発注情報が設計・製作機関側端末装置４００へ送信された後に、その発注情報は発注情報データベース１２５から削除されるようになっている。これにより、不当な第３者によって、発注情報が発注情報データベース１２５から盗取されるリスクを低減することができる。
【００５６】
また、人工骨情報管理システム１は、設計・製作機関で前記発注情報に基づいて設計された人工骨に関する人工骨情報をネットワーク６０を通じて設計・製作機関側端末装置４００から受信し、前記人工骨情報を人工骨情報データベース１２６に格納する人工骨情報取得部（人工骨情報取得手段）１１２を有している。
【００５７】
前記人工骨情報としては、例えば、設計された人工骨の２次元の画像データ、３次元の画像データ、寸法、材質（例えば、アパタイト等）、色、機能（例えば、欠損部の補完等）および過去の使用実績（例えば、破損率、感染率等）等が挙げられ、これらのうちでは、２次元の画像データまたは３次元の画像データが好ましい。
【００５８】
すなわち、人工骨情報には、設計された人工骨の２次元の画像データおよび３次元の画像データのうちのいずれか一方が含まれるのが好ましく、両方が含まれるのがより好ましい。これにより、医療機関の医師や利用者は、それぞれ、設計された人工骨について、具体的かつ明確なイメージを持って、容易かつ確実に認識することができる。
【００５９】
そして、前記人工骨情報に、さらに、設計された人工骨の寸法、材質、色、機能および過去の使用実績のうちの少なくとも１つが含まれるのが好ましい。
【００６０】
また、人工骨情報管理システム１は、前記人工骨情報の取出要求をネットワーク６０を通じて受け付け、前記取出要求に応じて、人工骨情報データベース１２６から該当する人工骨情報を抽出し、その人工骨情報をネットワーク６０を通じて医療機関側端末装置２００または利用者側端末装置３００へ送信する出力処理部（出力処理手段）１１３を有している。
【００６１】
この出力処理部１１３は、人工骨情報の取出要求を医療機関側端末装置２００からネットワーク６０を通じて受け付けた場合は、その取出要求に応じて、人工骨情報データベース１２６から該当する人工骨情報を抽出し、その人工骨情報をネットワーク６０を通じて医療機関側端末装置２００へ送信し、人工骨情報の取出要求を利用者側端末装置３００からネットワーク６０を通じて受け付けた場合は、その取出要求に応じて、人工骨情報データベース１２６から該当する人工骨情報を抽出し、その人工骨情報をネットワーク６０を通じて利用者側端末装置３００へ送信する。
【００６２】
医療機関側端末装置２００では、受信した人工骨情報が図示しない記憶装置（記憶手段）に記憶される。そして、例えば、図示しないディスプレイ（表示手段）やプリンタ等の各種外部装置に、その人工骨情報が出力され、ディスプレイに電子画像として表示されたり、また、プリント用紙にプリントされ、医療機関の医師らは、それを見ることができる。
【００６３】
また、利用者側端末装置３００では、受信した人工骨情報が図示しない記憶装置（記憶手段）に記憶される。そして、例えば、図示しないディスプレイ（表示手段）やプリンタ等の各種外部装置に、その人工骨情報が出力され、ディスプレイに電子画像として表示されたり、また、プリント用紙にプリントされ、利用者やその家族らは、それを見ることができる。
このようにして、人工骨の情報提供を効率的に行うことができる。
【００６４】
ここで、人工骨情報管理システム１は、さらに、前記発注情報取得部１１０が発注情報を医療機関側端末装置２００から受信するのに先立って、発注情報データベース１２５における前記発注情報の格納先アドレスと、医療機関の認証を行なうための該医療機関に固有の認証用情報（例えば、ＩＤ、パスワード等）とを医療機関側端末装置２００に送信し、また、設計・製作機関側端末装置４００からの発注情報の取出要求を受け付けるのに先立って、発注情報データベース１２５における前記発注情報の格納先アドレスと、設計・製作機関の認証を行なうための該設計・製作機関に固有の認証用情報（例えば、ＩＤ、パスワード等）とを前記設計・製作機関側端末装置４００に送信する認証処理部（認証処理手段）１２７を有している。
【００６５】
この認証処理部は、認証データベース１２７に格納されている認証データに基づいて、前記認証用情報の照合を行って、医療機関の認証および設計・製作機関の認証をそれぞれ行なう。これにより、不当な第三者による不正利用を抑制することができる。
【００６６】
この場合、前記医療機関側端末装置２００に送信する発注情報の格納先アドレスおよび認証用情報のうちのいずれか一方は、毎回変更されるのが好ましく、両方が毎回変更されるのがより好ましい。同様に、前記設計・製作機関側端末装置４００に送信する前記発注情報の格納先アドレスおよび前記認証用情報のうちのいずれか一方は、毎回変更されるのが好ましく、両方が毎回変更されるのがより好ましい。
【００６７】
また、前記発注情報データベース１２５と前記人工骨情報データベース１２６とは、別々のものであってもよいが、共通のものであるのが好ましく、発注情報の格納先アドレスと人工骨情報の格納先アドレスとが同一であるのが好ましい。
【００６８】
なお、前記人工骨情報管理システム１における発注情報取得部１１０、発注情報出力部１１１、人工骨情報取得部１１２、出力処理部１１３および認証処理部１１４等の各機能部（機能）は、それぞれ、例えば、ハードウェア（図示せず）として実現してもよいし、本実施形態のように、メモリやＨＤＤ（Ｈａｒｄ  Ｄｉｓｋ  Ｄｒｉｖｅ）等の所定の記憶装置１０１に格納（記憶）したプログラム（ソフトウェア）として実現してもよい。後者の場合は、人工骨情報管理システム１のＣＰＵ１０４が、プログラム実行に合わせて記憶装置１０１より該当プログラムをメモリ１０３に読み出して、これを実行することとなる。
【００６９】
次に、本実施形態における発注情報データベース１２５、人工骨情報データベース１２６、認証データベース１２７の構成例についてそれぞれ説明する。
【００７０】
発注情報データベース１２５は、ネットワーク６０を通じて医療機関側端末装置２００から受信した人工骨の発注情報を格納するデータベースであり、例えば、発注情報の格納先アドレスに、医療機関名、利用者（患者）名、発注情報（例えば、診断画像データ等）等を関連付けた情報の集合体となっている。
【００７１】
また、人工骨情報データベース１２６は、設計・製作機関側端末装置４００にて設計され、ネットワーク６０を通じてその設計・製作機関側端末装置４００から受信した人工骨に関する人工骨情報を格納するデータベースであり、例えば、人工骨情報の格納先アドレス（前述したように、このアドレスは、発注情報の格納先アドレスと同一であるのが好ましい）に、医療機関名、利用者名、人工骨情報（例えば、人工骨の２次元または３次元の画像データ等）等を関連付けた情報が格納されている。
【００７２】
また、認証データベース１２７は、各情報の受付や利用に際して行う認証処理に用いる認証情報（認証データ）を格納するデータベースであり、医療機関についての場合は、例えば、認証用ＩＤに、医療機関名、認証用パスワード等を関連付けた情報の集合体となっており、利用者についての場合は、例えば、認証用ＩＤに、利用者名、認証用パスワード等を関連付けた情報の集合体となっており、製作機関についての場合は、例えば、認証用ＩＤに、製作機関名、認証用パスワード等を関連付けた情報の集合体となっている。
【００７３】
なお、利用者は、医療機関側から、その医療機関に設定された認証用情報（認証用ＩＤ、パスワード等）や各情報の格納先アドレスを聞き、その認証用情報を用いることができる。
【００７４】
次に、図２および図３に示すフローチャートを参照して、人工骨情報管理システムの作用、すなわち、人工骨情報管理の手順例を説明する。
【００７５】
ここでは、一例として、人工骨情報管理システム１が、医療機関側端末装置２００と設計・製作機関側端末装置４００との間で、かつ、利用者側の端末装置３００と設計・製作機関側の端末装置４００との間にあり、それぞれについて、両者を仲介し、発注情報や人工骨情報等の各情報を管理する場合であって、設計・製作機関がその人工骨情報管理システム１を管理する場合を想定して説明を行う。すなわち、設計・製作機関側の担当者は、医療機関側端末装置２００に送信する医療機関の認証用ＩＤ、パスワードおよびＵＲＬや、設計・製作機関の認証用ＩＤおよびパスワード等を知っているものとする。
【００７６】
図２および図３は、図１に示す人工骨情報管理システムの作用（手順例）を示すフローチャートである。
【００７７】
なお、以下に説明する人工骨情報管理システム１の各動作は、その人工骨情報管理システム１が、記憶装置１０１からメモリ１０３に読み出して実行するプログラムによって実現される。
【００７８】
人工骨は、例えば、交通事故や、脳腫瘍切除の手術等により、例えば、頭蓋骨（頬骨や顎骨を含む）に部分的な欠損を生じた場合、その骨欠損部に人工材料で形成されるインプラント（人工骨）を埋め込み固定する手術（骨欠損部再建術）等に用いられるものである。この場合の利用者は、その人工骨を施術される患者であり、人工骨の発注を行うのが、その利用者を抱える医療機関（担当する医師ら）となる。
【００７９】
人工骨の製作を発注する医療機関の医師らは、医療機関側端末装置２００から人工骨情報管理システム１にアクセスするか（図示せず）、または、設計・製作機関に、電話等の他の手段で、連絡し、人工骨の製作の依頼を行う。
【００８０】
そして、まずは、図２に示すように、人工骨情報管理システム１の認証処理部１１４は、ネットワーク６０を通じて（介して）、認証用ＩＤ、パスワードおよびインターネットにおけるＵＲＬ（Uniform Resource Locator）（発注情報および人工骨情報の格納先アドレス）を、医療機関側端末装置２００に送信する（ステップＳ１００ａ）。なお、以下の説明では、「ネットワーク６０を通じて」と言う表現を省略して説明を行う。
【００８１】
ここで、医師らは、前記認証用ＩＤ、パスワードおよびＵＲＬを、利用者やその家族らに教え、利用者やその家族らは、その認証用ＩＤおよびパスワードを使用する。
【００８２】
医師らは、医療機関側端末装置２００から人工骨情報管理システム１の前記ＵＲＬにアクセスする（ステップＳ１００ｂ）。
【００８３】
次いで、人工骨情報管理システム１の認証処理部１１４は、例えば、認証用ＩＤとパスワードの入力画面データを医療機関側端末装置２００に返す（ステップＳ１０１）。
【００８４】
次いで、医療機関側端末装置２００では、この入力画面データを受信して画面入力すると共に、医師らによる認証用ＩＤおよびパスワードの入力を受け付けて、その受け付けた情報を人工骨情報管理システム１に返信する（ステップＳ１０２）。人工骨情報管理システム１では、これを受信し、認証処理部１１４は、認証データベース１２７にて、当該医療機関側端末装置２００に関する認証処理を実行する（ステップＳ１０３）。
【００８５】
前記認証処理の結果が、認証不可であったならば（ステップＳ１０３：認証ＮＧ）、処理は終了する。一方、前記認証処理の結果が、認証可であったならば（ステップＳ１０３：認証ＯＫ）、人工骨情報管理システム１の発注情報取得部１１０は、医療機関側端末装置２００からの発注情報の受信を可能とする。
【００８６】
医師らの操作により、医療機関側端末装置２００は、人工骨の発注情報（利用者の診断画像データ等）を人工骨情報管理システム１に送信する（ステップＳ１０４）。
【００８７】
人工骨情報管理システム１の発注情報取得部１１０は、医療機関側端末装置２００が送信してくる発注情報を受信して、発注情報データベース１２５の該当する格納先アドレスに格納する（ステップＳ１０５）。
【００８８】
なお、前記医療機関側端末装置２００から発注情報を人工骨情報管理システム１に送信する際は、その発注情報にパスワードをかけてセキュリティ性を高めることができる。また、必要に応じて、発注情報のデータを暗号化したり、圧縮してもよい。これらの場合、医療機関の医師らは、前記パスワード等を、設計・製作機関側に連絡する。設計・製作機関側端末装置４００では、人工骨情報管理システム１から発注情報を受信する際、そのパスワード等を用いる。
【００８９】
こうして発注情報データベース１２５に、医療機関側端末装置２００からの発注情報が格納される。この発注情報の格納終了の通知は、人工骨情報管理システム１から設計・製作機関側端末装置４００に送信されるようになっており、設計・製作機関側の担当者は、その通知により、発注情報の格納が終了したことを知ることができる。
【００９０】
設計・製作機関側の担当者は、設計・製作機関側端末装置４００から人工骨情報管理システム１の前記ＵＲＬにアクセスする（ステップＳ１０６）。
【００９１】
次いで、人工骨情報管理システム１の認証処理部１１４は、例えば、認証用ＩＤとパスワードの入力画面データを設計・製作機関側端末装置４００に返す（ステップＳ１０７）。
【００９２】
次いで、設計・製作機関側端末装置４００では、この入力画面データを受信して画面入力すると共に、担当者による認証用ＩＤおよびパスワードの入力を受け付けて、その受け付けた情報を人工骨情報管理システム１に返信する（ステップＳ１０８）。人工骨情報管理システム１では、これを受信し、認証処理部１１４は、認証データベース１２７にて、当該設計・製作機関側端末装置４００に関する認証処理を実行する（ステップＳ１０９）。
【００９３】
前記認証処理の結果が、認証不可であったならば（ステップＳ１０９：認証ＮＧ）、処理は終了する。一方、前記認証処理の結果が、認証可であったならば（ステップＳ１０９：認証ＯＫ）、人工骨情報管理システム１の発注情報取得部１１０は、設計・製作機関側端末装置４００からの発注情報の送信（取出）を可能とする。
【００９４】
担当者の操作により、設計・製作機関側端末装置４００は、発注情報の取出要求を人工骨情報管理システム１に送信する（ステップＳ１１０）。
【００９５】
前記人工骨情報管理システム１の発注情報出力部１１１は、前記取出要求に応じて、前記発注情報データベース１２５の該当する格納アドレス先から該当する発注情報を抽出し、これを設計・製作機関側端末装置４００に送信する（ステップＳ１１１）。
【００９６】
設計・製作機関側では、前記発注情報を取得し、これに基づいて、人工骨の設計を行う。この設計においては、例えば、前記人工骨が上述したように骨欠損部再建術等に用いられるものである場合、利用者の診断画像データから３次元画像データを作成し、その３次元画像データに基づいて、骨欠損を生じる以前に骨欠損部にあったと思われる骨体（欠損骨体）の形状を予測して欠損骨体形状データを生成する。
【００９７】
また、前記設計された人工骨に関する人工骨情報（設計された人工骨の２次元または３次元の画像データ等）を作成する。
【００９８】
設計・製作機関側の担当者は、設計・製作機関側端末装置４００から人工骨情報管理システム１の前記ＵＲＬにアクセスする（ステップＳ１１２）。
【００９９】
次いで、人工骨情報管理システム１の認証処理部１１４は、例えば、認証用ＩＤとパスワードの入力画面データを設計・製作機関側端末装置４００に返す（ステップＳ１１３）。
【０１００】
次いで、設計・製作機関側端末装置４００では、この入力画面データを受信して画面入力すると共に、担当者による認証用ＩＤおよびパスワードの入力を受け付けて、その受け付けた情報を人工骨情報管理システム１に返信する（ステップＳ１１４）。人工骨情報管理システム１では、これを受信し、認証処理部１１４は、認証データベース１２７にて、当該設計・製作機関側端末装置４００に関する認証処理を実行する（ステップＳ１１５）。
【０１０１】
前記認証処理の結果が、認証不可であったならば（ステップＳ１１５：認証ＮＧ）、処理は終了する。一方、前記認証処理の結果が、認証可であったならば（ステップＳ１１５：認証ＯＫ）、人工骨情報管理システム１の発注情報取得部１１０は、設計・製作機関側端末装置４００からの人工骨情報の受信を可能とする。
【０１０２】
担当者の操作により、設計・製作機関側端末装置４００は、人工骨情報を人工骨情報管理システム１に送信する（ステップＳ１１６）。
【０１０３】
人工骨情報管理システム１の発注情報取得部１１０は、設計・製作機関側端末装置４００が送信してくる人工骨情報を受信して、人工骨情報データベース１２６の該当する格納先アドレスに格納する（ステップＳ１１７）。なお、本実施形態では、発注情報データベース１２５と人工骨情報データベース１２６とは共通のものであり、発注情報の格納先アドレスと人工骨情報の格納先アドレスとは同一である。
【０１０４】
なお、前記設計・製作機関側端末装置４００から人工骨情報を人工骨情報管理システム１に送信する際は、その人工骨情報にパスワードをかけてセキュリティ性を高めることができる。また、必要に応じて、人工骨情報のデータを暗号化したり、圧縮してもよい。これらの場合、設計・製作機関側の担当者は、前記パスワード等を、医療機関側に連絡する。また、医療機関の医師らは、前記パスワード等を、利用者やその家族らに連絡する。医療機関側端末装置２００および利用者側端末装置３００では、それぞれ、人工骨情報管理システム１から人工骨情報を受信する際、そのパスワード等を用いる。
【０１０５】
こうして人工骨情報データベース１２６に、設計・製作機関側端末装置４００からの人工骨情報が格納される。この人工骨情報の格納終了の通知は、人工骨情報管理システム１から医療機関側端末装置２００および利用者側端末装置３００に、それぞれ、送信されるようになっており、医療機関の医師らおよび利用者は、その通知により、人工骨情報の格納が終了したことを知ることができる。
【０１０６】
医療機関側の医師らは、医療機関側端末装置２００から人工骨情報管理システム１の前記ＵＲＬにアクセスする（ステップＳ１１８）。
【０１０７】
次いで、人工骨情報管理システム１の認証処理部１１４は、例えば、認証用ＩＤとパスワードの入力画面データを医療機関側端末装置２００に返す（ステップＳ１１９）。
【０１０８】
次いで、医療機関側端末装置２００では、この入力画面データを受信して画面入力すると共に、医師らによる認証用ＩＤおよびパスワードの入力を受け付けて、その受け付けた情報を人工骨情報管理システム１に返信する（ステップＳ１２０）。人工骨情報管理システム１では、これを受信し、認証処理部１１４は、認証データベース１２７にて、当該医療機関側端末装置２００に関する認証処理を実行する（ステップＳ１２１）。
【０１０９】
前記認証処理の結果が、認証不可であったならば（ステップＳ１２１：認証ＮＧ）、処理は終了する。一方、前記認証処理の結果が、認証可であったならば（ステップＳ１２１：認証ＯＫ）、人工骨情報管理システム１の発注情報取得部１１０は、医療機関側端末装置２００からの人工骨情報の送信（取出）を可能とする。
【０１１０】
医師らの操作により、医療機関側端末装置２００は、人工骨情報の取出要求を人工骨情報管理システム１に送信する（ステップＳ１２２）。
【０１１１】
前記人工骨情報管理システム１の発注情報出力部１１１は、前記取出要求に応じて、前記人工骨情報データベース１２６の該当する格納アドレス先から該当する人工骨情報を抽出し、これを医療機関側端末装置２００に送信する（ステップＳ１２３）。
【０１１２】
医療機関側端末装置２００では、受信した人工骨情報が図示しない記憶装置（記憶手段）に記憶される。そして、例えば、図示しないディスプレイ（表示手段）やプリンタ等に、その人工骨情報が出力され、ディスプレイに電子画像として表示されたり、また、プリント用紙にプリントされる。医療機関の医師らは、それを見て、施術する人工骨を把握することができる。
【０１１３】
患者やその家族らは、利用者側端末装置３００から人工骨情報管理システム１の前記ＵＲＬにアクセスする（ステップＳ１２４）。
【０１１４】
次いで、人工骨情報管理システム１の認証処理部１１４は、例えば、認証用ＩＤとパスワードの入力画面データを利用者側端末装置３００に返す（ステップＳ１２５）。
【０１１５】
次いで、利用者側端末装置３００では、この入力画面データを受信して画面入力すると共に、患者やその家族らによる認証用ＩＤおよびパスワードの入力を受け付けて、その受け付けた情報を人工骨情報管理システム１に返信する（ステップＳ１２６）。人工骨情報管理システム１では、これを受信し、認証処理部１１４は、認証データベース１２７にて、当該利用者側端末装置３００に関する認証処理を実行する（ステップＳ１２７）。
【０１１６】
前記認証処理の結果が、認証不可であったならば（ステップＳ１２７：認証ＮＧ）、処理は終了する。一方、前記認証処理の結果が、認証可であったならば（ステップＳ１２７：認証ＯＫ）、人工骨情報管理システム１の発注情報取得部１１０は、利用者側端末装置３００からの発注情報の送信（取出）を可能とする。
【０１１７】
患者やその家族らの操作により、利用者側端末装置３００は、人工骨情報の取出要求を人工骨情報管理システム１に送信する（ステップＳ１２８）。
【０１１８】
前記人工骨情報管理システム１の発注情報出力部１１１は、前記取出要求に応じて、前記人工骨情報データベース１２６の該当する格納アドレス先から該当する人工骨情報を抽出し、これを利用者側端末装置３００に送信する（ステップＳ１２９）。
【０１１９】
また、利用者側端末装置３００では、受信した人工骨情報が図示しない記憶装置（記憶手段）に記憶される。そして、例えば、図示しないディスプレイ（表示手段）やプリンタ等に、その人工骨情報が出力され、ディスプレイに電子画像として表示されたり、また、プリント用紙にプリントされる。利用者やその家族らは、それを見て、施術される人工骨を把握することができる。
【０１２０】
以上説明したように、この人工骨情報管理システム１によれば、人工骨の設計（製作）に利用する診断画像データ等の発注情報の搬送に時間、手間、コストがかからなくなる上、医療機関が管理する利用者個人の診断画像データ等を第三者が持ち運ぶことによる個人情報漏洩の懸念等も解消される。
【０１２１】
また、医療機関の医師、人工骨を施術される利用者やその家族らに、利用者に施術される人工骨の事前情報を詳細かつ明確に知りうる機会と手段を提供することができる。したがって、人工骨情報の提供を効率的に行うことができる。
【０１２２】
なお、本発明では、認証用情報（認証用ＩＤ、パスワード）や格納先アドレスは、利用契約が済んでいる者に、予め送信されるようになっていてもよい。
【０１２３】
また、本発明では、人工骨情報管理システム１の構成要素に、医療機関側端末装置２００および設計・製作機関側端末装置４００のうちのいずれか一方、または両方を含めてもよい。また、さらに、利用者側端末装置３００を含めてもよい。
【０１２４】
また、前記実施形態では、設計・製作機関が人工骨情報管理システム１を管理する場合を想定したが、本発明では、これに限らず、例えば、医療機関が人工骨情報管理システム１を管理してもよく、また、設計・製作機関および医療機関側以外の第３者が人工骨情報管理システム１を管理してもよい。
【０１２５】
また、前記実施形態では、人工骨情報管理システム１が、医療機関側端末装置２００と、設計・製作機関側端末装置４００との間で、かつ、利用者側端末装置３００と設計・製作機関側端末装置４００との間にある場合を想定したが、本発明では、これに限らず、人工骨情報管理システム１の配置位置は、ネットワーク６０上のどこであってもよい。また、本発明では、例えば、人工骨情報管理システム１が設計・製作機関側端末装置４００を兼ねてもよく、また、人工骨情報管理システム１が医療機関側端末装置２００を兼ねてもよく、これらについては、下記第２および第３実施形態で説明する。
【０１２６】
次に、本発明の人工骨情報管理システムの第２実施形態について説明する。
図４は、本発明の人工骨情報管理システムの第２実施形態を示すネットワーク構成図（ブロック図）である。
【０１２７】
以下、第２実施形態の人工骨情報管理システム１について、前述した第１実施形態との相違点を中心に説明し、同様の事項については、その説明を省略する。
【０１２８】
第２実施形態の人工骨情報管理システム１は、人工骨情報管理システム１が設計・製作機関側の端末装置を兼ねることが異なっていること以外は、前述した第１実施形態と同様である。
【０１２９】
図４に示すように、第２実施形態の人工骨情報管理システム１では、その人工骨情報管理システム１は、設計・製作機関側に設けられ、設計・製作機関側の端末装置（設計・製作機関側端末装置）を兼ねている。
【０１３０】
続いて、人工骨情報管理システム１がプログラム１０２に基づき構成・保持する各機能部について、簡単に説明を行う。
【０１３１】
発注情報取得部（発注情報取得手段）１１０は、人工骨の設計のために必要となる利用者の診断画像データ等を含む発注情報をネットワーク６０を通じて（介して）医療機関側端末装置２００から受信し、その発注情報を発注情報データベース１２５に格納する機能部（手段）である。
【０１３２】
また、発注情報出力部（発注情報出力手段）１１１は、発注情報の取出要求を受け付け、その取出要求に応じて、発注情報データベース１２５から該当する発注情報を抽出し、その発注情報を出力する機能部（手段）である。
【０１３３】
また、人工骨情報取得部（人工骨情報取得手段）１１２は、設計・製作機関で前記発注情報に基づいて設計された人工骨に関する人工骨情報を人工骨情報データベース１２６に格納する機能部（手段）である。
【０１３４】
また、出力処理部（出力処理手段）１１３は、前記人工骨情報の取出要求をネットワーク６０を通じて受け付け、前記取出要求に応じて、人工骨情報データベース１２６から該当する人工骨情報を抽出し、その人工骨情報をネットワーク６０を通じて医療機関側端末装置２００または利用者側端末装置３００へ送信する機能部（手段）である。
【０１３５】
この人工骨情報管理システム１によれば、前述した第１実施形態と同様の効果が得られる。
【０１３６】
次に、本発明の人工骨情報管理システムの第３実施形態について説明する。
図５は、本発明の人工骨情報管理システムの第３実施形態を示すネットワーク構成図（ブロック図）である。
【０１３７】
以下、第３実施形態の人工骨情報管理システム１について、前述した第１実施形態との相違点を中心に説明し、同様の事項については、その説明を省略する。
【０１３８】
第３実施形態の人工骨情報管理システム１は、人工骨情報管理システム１が医療機関側の端末装置を兼ねることが異なっていること以外は、前述した第１実施形態と同様である。
【０１３９】
図５に示すように、第３実施形態の人工骨情報管理システム１では、その人工骨情報管理システム１は、医療機関側に設けられ、医療機関側の端末装置（医療機関側端末装置）を兼ねている。
【０１４０】
続いて、人工骨情報管理システム１がプログラム１０２に基づき構成・保持する各機能部について、簡単に説明を行う。
【０１４１】
発注情報取得部（発注情報取得手段）１１０は、人工骨の設計のために必要となる利用者の診断画像データ等を含む発注情報を発注情報データベース１２５に格納する機能部（手段）である。
【０１４２】
また、発注情報出力部（発注情報出力手段）１１１は、発注情報の取出要求をネットワーク６０を通じて受け付け、その取出要求に応じて、発注情報データベース１２５から該当する発注情報を抽出し、その発注情報をネットワーク６０を通じて設計・製作機関側端末装置４００へ送信する機能部（手段）である。
【０１４３】
また、人工骨情報取得部（人工骨情報取得手段）１１２は、設計・製作機関で前記発注情報に基づいて設計された人工骨に関する人工骨情報をネットワーク６０を通じて設計・製作機関側端末装置４００から受信し、前記人工骨情報を人工骨情報データベース１２６に格納する機能部（手段）である。
【０１４４】
また、出力処理部（出力処理手段）１１３は、前記人工骨情報の取出要求を受け付け、前記取出要求に応じて、人工骨情報データベース１２６から該当する人工骨情報を抽出し、その人工骨情報を出力またはネットワークを通じて利用者側端末装置３００へ送信する機能部（手段）である。
【０１４５】
なお、人工骨情報管理システム１では、例えば、図示しないディスプレイ（表示手段）やプリンタ等の各種外部装置に、人工骨情報が出力され、ディスプレイに電子画像として表示されたり、また、プリント用紙にプリントされ、医療機関の医師らは、それを見ることができる。
【０１４６】
この人工骨情報管理システム１によれば、前述した第１実施形態と同様の効果が得られる。
【０１４７】
以上、本発明の人工骨情報管理システムを、図示の実施形態に基づいて説明したが、本発明はこれに限定されるものではなく、各部の構成は、同様の機能を有する任意の構成のものに置換することができる。また、本発明に、他の任意の構成物や、工程が付加されていてもよい。
【０１４８】
また、本発明は、前記各実施形態のうちの、任意の２以上の構成（特徴）を組み合わせたものであってもよい。
【図面の簡単な説明】
【０１４９】
【図１】本発明の人工骨情報管理システムの第１実施形態を示すネットワーク構成図（ブロック図）である。
【図２】図１に示す人工骨情報管理システムの作用（手順例）を示すフローチャートである。
【図３】図１に示す人工骨情報管理システムの作用（手順例）を示すフローチャートである。
【図４】本発明の人工骨情報管理システムの第２実施形態を示すネットワーク構成図（ブロック図）である。
【図５】本発明の人工骨情報管理システムの第３実施形態を示すネットワーク構成図（ブロック図）である。
【符号の説明】
【０１５０】
１              人工骨情報管理システム
６０            ネットワーク
１００          サーバ
１０１          記憶装置
１０２          プログラム
１０３          メモリ
１０４          ＣＰＵ
１０５          入力インターフェイス
１０６          出力インターフェイス
１０７          通信装置
１０８          Ｉ／Ｏ部
１１０          発注情報取得部
１１１          発注情報出力部
１１２          人工骨情報取得部
１１３          出力処理部
１１４          認証処理部
１２５          発注情報データベース
１２６          人工骨情報データベース
１２７          認証データベース
２００          医療機関側端末装置
３００          利用者側端末装置
４００          設計・製作機関側端末装置
Ｓ１００ａ、Ｓ１００ｂ、Ｓ１０１〜Ｓ１２９  ステップ
【図１】
2008140071.tif 000003
【図２】
2008140071.tif 000004
【図３】
2008140071.tif 000005
【図４】
2008140071.tif 000006
【図５】
2008140071.tif 000007